(57)【要約】  【課題】  天然芳香源の香気も楽しめる芳香装置を提供する。  【解決手段】  香気を放散する芳香装置であって、芳香源から香気を調製する芳香部を含み、前記芳香部は、前記芳香源を破壊して芳香を放出させる破壊部を含む芳香装置。【選択図】  図１
2017189391.tif 000002
【特許請求の範囲】
【請求項１】
香気を放散する芳香装置であって、
芳香源から香気を調製する芳香部を含み、
前記芳香部は、前記芳香源を破壊して芳香を放出させる破壊部を含む
ことを特徴とする芳香装置。
【請求項２】
請求項１に記載の芳香装置であって、
前記芳香部は、前記芳香源を保持する保持部を含む
ことを特徴とする芳香装置。
【請求項３】
請求項１又は２に記載の芳香装置であって、
前記芳香部は、天然の生の素材を前記芳香源とする
ことを特徴とする芳香装置。
【請求項４】
請求項３に記載の芳香装置であって、
前記芳香源は、果実、生のハーブ又は種子である
ことを特徴とする芳香装置。
【請求項５】
請求項２に記載の芳香装置であって、
前記破壊部は、前記保持部に保持された前記芳香源を揺らがせることによって芳香を放出させる
ことを特徴とする芳香装置。
【請求項６】
請求項２に記載の芳香装置であって、
前記破壊部は、前記保持部に保持された前記芳香源の果汁を搾ることによって芳香を放出させる
ことを特徴とする芳香装置。
【請求項７】
請求項２に記載の芳香装置であって、
前記破壊部は、前記保持部に保持された前記芳香源の少なくとも果皮を切削することによって芳香を放出させる
ことを特徴とする芳香装置。
【請求項８】
請求項２に記載の芳香装置であって、
前記破壊部は、前記保持部に保持された前記芳香源を押し当てることによって芳香を放出させる
ことを特徴とする芳香装置。
【請求項９】
請求項２に記載の芳香装置であって、
前記破壊部は、前記保持部に保持された前記芳香源を押し潰すことによって芳香を放出させる
ことを特徴とする芳香装置。
【請求項１０】
請求項１〜９のいずれか一項に記載の芳香装置であって、
前記破壊部は、破壊作動を所定時間間隔で行う
ことを特徴とする芳香装置。
【請求項１１】
請求項１〜１０のいずれか一項に記載の芳香装置であって、
空気の流れを促進する送風部を含む
ことを特徴とする芳香装置。
【請求項１２】
請求項１〜１１のいずれか一項に記載の芳香装置であって、
空気を暖めるヒータを含む
ことを特徴とする芳香装置。
【請求項１３】
請求項１〜１２のいずれか一項に記載の芳香装置であって、
霧を散布する霧散布部を含む
ことを特徴とする芳香装置。
【請求項１４】
請求項１〜１３のいずれか一項に記載の芳香装置であって、
前記芳香部の作動を制御する作動制御部を含む
ことを特徴とする芳香装置。
【請求項１５】
請求項１４に記載の芳香装置であって、
人感センサ、温度センサ、湿度センサ、匂いセンサのうちの少なくとも一つを含むセンサ部を含む
ことを特徴とする芳香装置。
【請求項１６】
請求項１５に記載の芳香装置であって、
前記センサ部の検出結果に応じて前記作動制御部に所定の指示を行う処理部を含む
ことを特徴とする芳香装置。
【請求項１７】
請求項１６に記載の芳香装置であって、
前記芳香源毎に所定の情報を格納する記憶部を含み、
前記処理部は、前記記憶部に格納された前記所定の情報を参照して、前記センサ部の検出結果に応じて前記作動制御部に前記所定の指示を行う
ことを特徴とする芳香装置。
【請求項１８】
請求項１〜１７のいずれか一項に記載の芳香装置であって、
前記芳香部は、着脱可能に配置されている
ことを特徴とする芳香装置。
【発明の詳細な説明】
【技術分野】
【０００１】
本発明は、芳香装置に関する。
【背景技術】
【０００２】
従来、香気を放散する芳香装置として、例えば、器体と該器体に収容された香りビーズとで構成され、上記香りビーズは、シリカゲル、パルプ材、ゲル材等に芳香成分を担持した固体の芳香剤からなる芳香器が開示されている（特許文献１を参照）。
【先行技術文献】
【特許文献】
【０００３】
【特許文献１】特開平８−１９１８８３号公報
【発明の概要】
【発明が解決しようとする課題】
【０００４】
一方、人工的に作出された芳香成分を芳香源とする香気よりも、天然芳香源の香気を好む使用者や、アレルギ体質等で人工の芳香成分に触れられない使用者もいる。天然芳香源の多くは、自然に発散する香気が微量であるため、これを調製する芳香装置を必要とするが、上記芳香装置はこのような天然芳香源には向いていない。
【０００５】
本発明は、上記課題を解決するためのもので、天然芳香源の香気も楽しめる芳香装置を提供することを目的とする。
【課題を解決するための手段】
【０００６】
そこで、上記課題を解決するために、本発明に係る芳香装置は、香気を放散する芳香装置であって、芳香源から香気を調製する芳香部を含み、前記芳香部は、前記芳香源を破壊して芳香を放出させる破壊部を含む。
【０００７】
また、前記芳香部は、前記芳香源を保持する保持部を含んでもよい。
【０００８】
また、前記芳香部は、天然の生の素材を前記芳香源としてもよい。
【０００９】
また、前記芳香源は、果実、生のハーブ又は種子であってもよい。
【００１０】
また、前記破壊部は、前記保持部に保持された前記芳香源を揺らがせることによって芳香を放出させてもよい。
【００１１】
また、前記破壊部は、前記保持部に保持された前記芳香源の果汁を搾ることによって芳香を放出させてもよい。
【００１２】
また、前記破壊部は、前記保持部に保持された前記芳香源の少なくとも果皮を切削することによって芳香を放出させてもよい。
【００１３】
また、前記破壊部は、前記保持部に保持された前記芳香源を押し当てることによって芳香を放出させてもよい。
【００１４】
また、前記破壊部は、前記保持部に保持された前記芳香源を押し潰すことによって芳香を放出させてもよい。
【００１５】
また、前記破壊部は、破壊作動を所定時間間隔で行ってもよい。
【００１６】
また、空気の流れを促進する送風部を含んでもよい。
【００１７】
また、空気を暖めるヒータを含んでもよい。
【００１８】
また、霧を散布する霧散布部を含んでもよい。
【００１９】
また、前記芳香部の作動を制御する作動制御部を含んでもよい。
【００２０】
また、人感センサ、温度センサ、湿度センサ、匂いセンサのうちの少なくとも一つを含むセンサ部を含んでもよい。
【００２１】
また、前記センサ部の検出結果に応じて前記作動制御部に所定の指示を行う処理部を含んでもよい。
【００２２】
また、前記芳香源毎に所定の情報を格納する記憶部を含み、前記処理部は、前記記憶部に格納された前記所定の情報を参照して、前記センサ部の検出結果に応じて前記作動制御部に前記所定の指示を行ってもよい。
【００２３】
また、前記芳香部は、着脱可能に配置されていてもよい。
【発明の効果】
【００２４】
本発明によれば、天然芳香源の香気も楽しめる芳香装置を提供することができる。
【図面の簡単な説明】
【００２５】
【図１】実施形態１に係る芳香装置の構成を示す図面である。
【図２】実施形態１の変形例１に係る芳香装置の構成を示す図面である。
【図３】実施形態１の変形例２に係る芳香装置の構成を示す図面である。
【図４】実施形態１の変形例３に係る芳香装置の構成を示す図面である。
【図５】実施形態１の変形例４に係る芳香装置の構成を示す図面である。
【図６】実施形態２に係る芳香装置の構成を示す図面である。
【図７】実施形態２に係る芳香装置の制御構成を示す図面である。
【図８】実施形態３に係る芳香装置の構成を示す図面である。
【図９】実施形態３に係る芳香装置の制御構成を示す図面である。
【図１０】実施形態３の変形例１に係る芳香装置の制御構成を示す図面である。
【発明を実施するための形態】
【００２６】
以下、図面を参照して本発明に係る実施形態の例を説明する。
【００２７】
＜実施形態１＞
図１は実施形態１に係る芳香装置１００の構成を示す図面である。芳香装置１００は、第１筐体１０１と、第１筐体１０１と着脱可能に係合する第２筐体１０２とを含む。
【００２８】
また、芳香装置１００は、電源部１と、主モータ２と、ヒータ３と、送風ファン４と、霧散布部５と、芳香部６と、を含み、これらは、第１筐体１０１及び第２筐体１０２に配置（収容）される。
【００２９】
一例として、第１筐体１０１には、電源部１及び主モータ２が収容される。第１筐体１０１は、一方の面（ここでは上面）が第２筐体１０２との仕切板をなし、後述の送風ファン回転軸２２及び破壊回転軸２３を挿通するための貫通穴が設けられる。第２筐体１０２は、例えば、一方（一面）が開放された蓋体で、ヒータ３及び送風ファン４、霧散布部５、芳香部６を覆うようにして収容する。第２筐体１０２には、貫通穴である空気流入口１０３及び香気放散口１０４が設けられる。
【００３０】
電源部１は、外部電源や電池等を含んで構成される。主モータ２、ヒータ３、霧散布部５は電源部１に電気的に接続され、電源部１から電力が供給される。
【００３１】
主モータ２は、送風ファン４及び芳香部６を駆動するためのものである。具体的には、主モータ２の出力軸２１に送風ファン回転軸２２及び破壊回転軸２３が連動され、送風ファン４及び芳香部６が駆動される。例えば、図示のように、これらの軸にそれぞれ歯車が結合され、歯車同士が噛み合いながら回転することによって、送風ファン回転軸２２及び破壊回転軸２３が回転し、送風ファン４及び芳香部６が駆動される。
【００３２】
ヒータ３は、空気流入口１０３の近傍に配置され、空気流入口１０３から流入した空気を暖める。ヒータ３は、付帯の電源回路を備えてもよい。
【００３３】
送風ファン４は、ヒータ３の近傍に配置され、暖められた空気を芳香部６に送り込むとともに、空気流入口１０３からの空気の流入を促進する（空気を吸い込む）。
【００３４】
霧散布部５は、散布ノズル５１と、散布ポンプ５２と、散布用液容器５３とを含む。霧散布部５は、例えば送風ファン４の反対側に配置される。散布用液容器５３内の液体（例えば、水）は、散布ポンプ５２によって吸い上げられ、散布ノズル５１から芳香部６内に向けて散布される。
【００３５】
芳香部６は、破壊部６１と、保持部６２と、芳香ケース６３とを含む。破壊部６１は、ここでは棒状に形成され、根元に挿着穴が設けられて破壊回転軸２３に挿着される。破壊部６１は、破壊回転軸２３と一体に形成されてもよい。
【００３６】
一例として、保持部６２は、破壊部６１から延出した複数の枝状の部分で、芳香源は図示のようにこの複数の枝状部分で構成される保持部６２にセットされ、保持される。保持部は、芳香源を保持するものであればよく、例えば、スリットや貫通穴を設けた板状体に形成され、芳香源をスリットに挟み込んだり、貫通穴に刺したりして保持するようにしてもよい。
【００３７】
芳香ケース６３は、上部が開口したケースで、破壊部６１及び保持部６２は芳香ケース６３に収容される。芳香ケース６３の周壁には貫通穴である取込口６３１が複数設けられる。芳香ケース６３の底面には破壊回転軸２３を挿通させるための貫通穴が設けられる。
【００３８】
芳香部６は、例えば、第２筐体１０２の略中央部に配置され、送風ファン４側の取込口６３１から空気が取り込まれ、霧散布部５側の取込口６３１から霧が取り込まれる。図示のように、散布ノズル５１が一の取込口６３１から挿通され、芳香部６内に霧が直接散布されてもよい。
【００３９】
ここで、香気放散までの流れを説明すると、例えば芳香源（例えば、ローズマリ等）を芳香部６の保持部６２にセットして保持させ、電源部１をオンにすると、電源部１によって、主モータ２に電力が供給され、送風ファン回転軸２２及び破壊回転軸２３が回転する。これによって、送風ファン４が回転し、空気流入口１０３から空気が吸い込まれる。吸い込まれた空気は、ヒータ３によって暖められ、送風ファン４によって上方に送り込まれる。また、霧散布部５にも電力が供給され、霧が散布される。
【００４０】
芳香部６内の芳香源は、破壊回転軸２３による破壊部６１の回転及び加速された空気の流入によって、激しく揺らいで擦られて細胞が破壊され、芳香を放出する。放出された芳香は、空気及び霧と混合されて香気に調製され、流入した空気に押し上げられて、第２筐体１０２の香気放散口１０４から放散される。
【００４１】
言い換えれば、芳香部６は、芳香製造部であり、芳香源から芳香を放出させ、これを空気と霧と混合して、天然香気を製造するものである。
【００４２】
芳香装置１００は、以上のように構成することによって、芳香源から気軽に香気を楽しむことができる。芳香装置１００は、特に、ローズマリ、バジルやタイム等、茎についている葉や花の香りを楽しむ芳香源に好適である。
【００４３】
なお、芳香源は、必ずしも生の素材でなくてもよく、乾燥した素材や加工して練り込んだ素材等であってもよい。
【００４４】
なお、霧の散布は、芳香源の乾燥を防ぎ、劣化を防止する効果もある。また、電源部は、蓄電池等を含んで充電方式としてもよい。また、後述のように、ヒータや送風ファン、霧散布部、芳香部等の作動部は、所定時間間隔で作動してもよく、例えば、霧散布部が定期的に短い時間で作動して霧の散布を行ってもよい。また、各作動部は、連動して作動してもよい。
【００４５】
また、芳香ケースの内壁には板状体等の突起物を設けたり、取り付けたりすることによって、芳香源を揺るがしたり叩いたりする構成としてもよい。
【００４６】
＜実施形態１の変形例１＞
図２は、実施形態１の変形例１に係る芳香装置１００ａの構成を示す図である。以下では、実施形態１と共通する部分には同様な符号を付し、説明を省略する。芳香装置１００ａは、第２筐体１０２ａ及び芳香部６ａが実施形態１に係る第２筐体１０２及び芳香部６と異なる。また、ヒータ及び霧散布部を含まない点、実施形態１と異なる。
【００４７】
第２筐体１０２ａは、第２筐体本体１０５ａと、これに着脱可能に係合する第２筐体蓋体１０６ａとを含む。空気流入口１０３及び香気放散口１０４は、第２筐体蓋体１０６ａに設けられる。第２筐体本体１０５ａの一方の面（第１筐体１０１側の面）には、送風ファン回転軸２２及び破壊回転軸２３を挿通するための貫通穴が設けられる。
【００４８】
芳香部６ａは、破壊部６１ａと、保持部６２ａとを含む。破壊部６１ａ及び保持部６２ａは、第２筐体本体１０５ａに収容される。破壊部６１ａは、一例として、略円錐形状に形成され、先端が保持部６２ａ側に配置される。破壊部６１ａは、根元に挿着穴が設けられ、破壊回転軸２３に挿着される。破壊部６１ａは、芳香源（例えば、柑橘類）を効果的に搾るための凸部が設けられ、例えば、図示のように、棒状本体から羽根状に凸出した凸部が設けられる。なお、ここでは、破壊部６１ａは、芳香源の果汁を搾り出すものであればよく、その形状等は特に限定するものではない。破壊部６１ａは、破壊回転軸２３と一体に形成されてもよい。
【００４９】
保持部６２ａは、保持本体６２１ａと、これを第２筐体本体１０５ａに固定する保持固定部６２２ａとを含む。保持本体６２１ａは例えば図示のように略半球面状に形成される。保持固定部６２２ａは、スプリングを含んで構成され、保持本体６２１ａは破壊部６１ａに向かって進退可能である。そのため、様々な大きさの芳香源に対応できるとともに、破壊部６１ａが芳香源に回転しながら押し込んでもそれを受け止めることができる。
【００５０】
芳香部６ａは、第２筐体本体１０５ａの下部に配置され、送風ファン４は例えば上方の空気流入口１０３の近傍に配置される。芳香部６ａは、さらに受け皿を含んで搾り出された果汁を収容するようにしてもよい。
【００５１】
また、図示しないが、破壊部６１ａの近傍に撹拌部を設けて、第２筐体本体１０５ａに貯留している果汁を撹拌するようにして、芳香の放出を増進させてもよい。
【００５２】
ここで、香気放散までの流れを説明すると、芳香源（例えば、柑橘類）を芳香部６ａの保持本体６２１ａにセットして保持させ、電源部１をオンにすると、電源部１によって、主モータ２に電力が供給され、送風ファン回転軸２２及び破壊回転軸２３が回転する。これによって、破壊部６１ａが回転しながら柑橘類に押し込んで果汁を搾り出す（芳香を放出させる）。搾り出された果汁は、第２筐体本体１０５ａの下部に収容される。
【００５３】
一方、送風ファン４も回転し、空気流入口１０３から空気が吸い込まれる。吸い込まれた空気と芳香（搾り出す過程で放出される芳香、収容された果汁から放出される芳香）は、送風ファン４によって混合されて調製され、香気放散口１０４から放散される。
【００５４】
言い換えれば、芳香部６ａは、芳香製造部であり、天然芳香源から芳香を放出させ、これを空気と混合して、天然香気を製造するものである。
【００５５】
芳香装置１００ａは、上記のように構成されるため、芳香源から気軽に香気を楽しむことができる。芳香装置１００ａは、特に、柑橘類等果実の果汁の香りを楽しむ芳香源に好適である。
【００５６】
なお、芳香源は必ずしも生の素材でなくてもよく、加工して練り込んだ半固体の素材等でもよい。
【００５７】
＜実施形態１の変形例２＞
図３は、実施形態１の変形例２に係る芳香装置１００ｂの構成を示す図である。芳香装置１００ｂは、第２筐体１０２ｂ及び芳香部６ｂが実施形態１に係る第２筐体１０２及び芳香部６と異なる。また、ヒータ及び霧散布部を含まない点、実施形態１と異なる。また、送風ファン回転軸２２ｂ及び破壊回転軸２３ｂが同軸に回転する点、実施形態１と異なる。
【００５８】
第２筐体１０２ｂは、第２筐体本体１０５ｂと、第２筐体蓋体１０６ｂとを含む。第２筐体本体１０５ｂと第２筐体蓋体１０６ｂとは、一例として、芳香部６ｂを挟んで分離して配置され、例えば、図示のように、第２筐体本体１０５ｂが芳香部６ｂの下方に配置され、第２筐体蓋体１０６ｂが芳香部６ｂの上方においてその開口を覆うように配置される。空気流入口１０３は、第２筐体本体１０５ｂの周壁に設けられ、香気放散口１０４は、第２筐体蓋体１０６ｂに設けられる。
【００５９】
第１筐体１０１は、一方の面（ここでは上面）が第２筐体本体１０５ｂとの仕切板をなし、送風ファン回転軸２２ｂ及び破壊回転軸２３ｂを挿通するための貫通穴が設けられる。ここでは、送風ファン回転軸２２ｂ及び破壊回転軸２３ｂは、図示のように、同軸に回転するように構成される。また、破壊回転軸２３ｂは、外周面にねじ山が設けられ、ねじ軸状に形成される。
【００６０】
芳香部６ｂは、破壊部６１ｂと、保持部６２ｂと、芳香ケース６３ｂとを含む。破壊部６１ｂは、破壊本体６１１ｂと、破壊基部６１２ｂとを含む。破壊本体６１１ｂは、例えば、図示のように、外周面に螺旋状に凸部を有する略楕円体状に形成され、破壊回転軸２３ｂの先端に固定される。なお、破壊本体６１１ｂは、芳香ケース６３ｂの内壁側に芳香源を押すようにして当接するものであればよく、球体状、円柱体状等であってもよい。
【００６１】
また、破壊本体６１１ｂは、破壊回転軸２３ｂにバネ性や柔軟性のある材料で棒状突起として設けられてもよい。例えば、バネ性のある金属細線、又はゴム製やプラスチック樹脂製の突起部材を破壊回転軸に一体に形成してもよい。突起部材は回転により、芳香源等に掛かり動きを一時的に止められ、解放され動く時に芳香源を叩く動作が行われることになり、芳香源に刺激を与えることとなる。特にハーブ系の芳香源には有効である。
【００６２】
破壊基部６１２ｂは、芳香ケース６３ｂの底面に固定され、ねじ山を有する貫通穴が設けられる。破壊本体６１１ｂは、破壊回転軸２３ｂが破壊基部６１２ｂを捻じ込みながら挿通して上下に移動することによって、芳香ケース６３ｂ内で上下しながら芳香源に当接する。ここでは、破壊部６１ｂは、破壊本体６１１ｂが最上部に達すると主モータが逆回転し、破壊本体６１１ｂが下方へ移動する、最下部に達すると正回転に戻り、再び上方へ移動する、この動作を繰り返す。この上下移動の作動は、一往復で停止し、所定時間後に再開するなど、所定間隔で行われてもよい。
【００６３】
保持部６２ｂは、芳香源を保持する部分で、例えば、芳香ケース６３ｂの内壁に上下方向に延伸する複数のリブ状に形成される。好ましくは、保持部６２ｂの形状は、破壊本体６１１ｂの形状に対応して形成される。また、保持部６２ｂは、バネ性や柔軟性の有る材料で形成される棒状突起でもよい。例えば、バネ性のある金属細線、又はゴム製やプラスチック製の突起部材で保持部６２ｂを形成し、その間に、例えばハーブなどの芳香源を保持してもよい。なお、ここでは、保持部６２ｂが芳香ケース６３ｂの内壁に形成され、芳香源が保持部６２ｂと内壁で保持されることもあることから、このような場合には芳香ケース６３も保持部の一部を構成すると言える。
【００６４】
芳香ケース６３ｂは、上部が開口したケースで、底面には破壊回転軸２３を挿通させるための貫通穴が設けられる。また、芳香ケース６３ｂの底面には、第２筐体本体１０５ｂから空気を流入させるための貫通穴が設けられる。芳香ケース６３ｂは、図示のように、送風ファン４と破壊部６１ｂとの同軸回転を構成しやすいように、送風ファン４が収容される第２筐体本体１０５ｂの上方に配置される。
【００６５】
ここで、香気放散までの流れを説明すると、芳香源（例えば、ローズマリ）を芳香部６ｂの保持部６２ｂにセットして保持させ、電源部１をオンにすると、電源部１によって、主モータ２に電力が供給され、送風ファン回転軸２２ｂ及び破壊回転軸２３ｂが回転する。これによって、送風ファン４が回転し、空気流入口１０３から空気が吸い込まれる。吸い込まれた空気は、送風ファン４によって芳香部６ｂに送り込まれる。
【００６６】
芳香部６ｂ内の芳香源は、破壊本体６１１ｂが上下にゆっくりと移動することによって、狭い空間に押さえ込まれて擦られて細胞が破壊され、芳香を放出する。放出された芳香は、送り込まれた空気と混合して香気に調製され、流入した空気に押し上げられて、香気放散口１０４から放散される。
【００６７】
言い換えれば、芳香部６ｂは、芳香製造部であり、芳香源から芳香を放出させ、これを空気と混合して、天然香気を製造するものである。
【００６８】
芳香装置１００ｂは、上記のように構成することによって、芳香源から気軽に香気を楽しむことができる。芳香装置１００ｂは、特に、ローズマリ、バジルやタイム等、茎についている葉や花の香りを楽しむ芳香源や、柑橘類の皮等の芳香源に好適である。
【００６９】
なお、芳香源は、必ずしも生の素材でなくてもよく、乾燥させたものや、加工して練り込んだ素材等であってもよい。
【００７０】
＜実施形態１の変形例３＞
図４は、実施形態１の変形例３に係る芳香装置１００ｃの構成を示す図である。芳香装置１００ｃは、芳香部６ｃが実施形態１に係る芳香部６と異なる。また、ヒータ及び霧散布部を含まない点、実施形態１と異なる。また、ここでは、主モータを含まず、芳香部６ｃ及び送風ファン４はそれぞれ付帯のモータを備え、これによって駆動されるものとする。
【００７１】
芳香部６ｃは、破壊部６１ｃと、保持部６２ｃとを含む。破壊部６１ｃ及び保持部６２ｃは、概ね第２筐体に収容される。芳香部６ｃは、さらに受け皿を含んで切削片を収容するようにしてもよい。
【００７２】
破壊部６１ｃは、破壊先端６１１ｃと、破壊モータ６１２ｃと、破壊回転腕６１３ｃと、破壊回転板６１４ｃと、破壊補助モータ６１５ｃとを含む。破壊先端６１１ｃは、芳香源（例えば、ゆずやレモン、リンゴ）に当接してこれを切削する部分である。破壊モータ６１２ｃは、破壊先端６１１ｃを回転させるためのもので、その出力軸に破壊先端６１１ｃが取り付けられる。破壊回転腕６１３ｃは、破壊先端６１１ｃの位置を調整するもので、ラッチ構造に構成される。破壊回転腕６１３ｃは根本付近にコイルばねで支持され、芳香源を押しつける構造で作動し、常に芳香源をなぞる様に作動することになる。破壊回転板６１４は、破壊補助モータ６１５ｃと連動して、破壊先端６１１ｃの切削位置を調整するものである。破壊回転腕６１３ｃは、破壊回転板６１４により、上から下に移動して最下部に達すると、方向を替えて下から上に移動し、最上部に達すると、再び下方に移動する等して上下方向に繰り返し移動することができる。なお、下に移動して最下部に達すると、芳香源との接触を回避して、破壊先端６１１を最上部に戻すなどして、一方向のみ作動するようにしてもよい。なお、作動方向は必ずしも上下方向でなくてもよいことは言うまでもない。
【００７３】
保持部６２ｃは、第１保持部６２１ｃと、第２保持部６２２ｃとを含む。第１保持部６２１ｃは、例えば、芳香源の下方に配置される部分で、先端が爪状の部分を含む棒状に形成される。また、第１保持部６２１ｃは、付帯のモータを備え、保持された芳香源を回転可能に構成されてもよい。第２保持部６２２ｃは、例えば、芳香源の上方に配置される部分で、先端が爪状の部分を含んで構成される。また、第２保持部６２２ｃは、芳香源の大きさに応じて、例えば第１保持部６２１ｃとの距離を調整可能に構成される。
【００７４】
ここで、香気放散までの流れを説明すると、芳香源（例えば、ゆず）を芳香部６ｃの保持部６２ｃにセットして保持させ、電源部１をオンにすると、電源部１によって、破壊モータ６１２ｃ、破壊補助モータ６１５ｃに電力が供給され、破壊先端６１１ｃが柑橘類の皮を切削する。また、第１保持部６２１ｃに付帯のモータによって、第１保持部６２１ｃが回転し、芳香源が回転して、切削済みの部分は先に送り出される。
【００７５】
一方、送風ファン４も回転し、空気流入口１０３から空気が吸い込まれる。吸い込まれた空気と芳香（切削過程で放出される芳香、収容される切削片から放出される芳香）が、送風ファン４によって混合されて調製され、香気放散口１０４から放散される。
【００７６】
言い換えれば、芳香部６ｃは、芳香製造部であり、芳香源から芳香を放出させ、これを空気と混合して、天然香気を製造するものである。
【００７７】
芳香装置１００ｃは、上記のように構成することによって、芳香源から気軽に香気を楽しむことができる。芳香装置１００ｃは、特に、柑橘類等果実の皮の香りを楽しむ芳香源に好適である。
【００７８】
なお、第２筐体１０２には、芳香源の果汁等を受け止めるための皿部を設けてもよい。または、別体に形成された皿部を必要に応じて載置してもよい。また、霧散布部やヒータを設けてもよい。
【００７９】
＜実施形態１の変形例４＞
図５は、実施形態１の変形例４に係る芳香装置１００ｄの芳香部６ｄの構成を示す図である。その他の構成の説明は、ここでは省略する。
【００８０】
芳香部６ｄは、破壊部６１ｄと、保持部６２ｄと、芳香台６３ｄとを含む。破壊部６１ｄは、破壊本体６１１ｄと、破壊基台６１２ｄと、破壊モータ６１３ｄと、破壊支柱６１４ｄとを含む。破壊本体６１１ｄは、回転して、破壊基台６１２との間で芳香源を押し潰す部分である。破壊モータ６１３ｄは、破壊本体６１１ｄを駆動するもので、破壊支柱６１４ｄに支持される。破壊支柱６１４ｄは、破壊モータ６１３ｄを支持する部分と、破壊本体６１１ｄを破壊モータ６１３ｄに連結する部分とを含む。
【００８１】
保持部６２ｄは、芳香源（例えば、山椒）を保持する部分で、例えば、図示のように、漏斗状に形成され、芳香源を保持し、そのうちの適量を破壊本体６１１ｄと破壊基台６１２ｄとの間に送り込むものである。
【００８２】
芳香台６３ｄは、破壊部６１ｄを載置するための部分である。破壊部６１ｄによって押し潰された芳香源は、芳香台６３ｄに落ちてきて、溜められる。なお、ここでは、押し潰された芳香源を収容するための収容部を含んで構成されてもよい。
【００８３】
ここで、香気放散までの流れを説明すると、芳香源（例えば、山椒、ゴマ、コーヒー豆）を芳香部６ｄの保持部６２ｄにセットして保持させ、電源部１をオンにすると、電源部１によって、破壊モータ６１３ｄに電力が供給され、破壊本体６１１ｄが回転する。そして、適量の芳香源が供給され、破壊本体６１１ｄと破壊基台６１２ｄとの間で押し潰されて、芳香台６３ｄに溜められる。そして、図示しない送風ファンによって送り込まれた空気と芳香（押し潰す過程で放出される芳香、押し潰された芳香源から放出される芳香）が混合されて調製され、図示しない香気放散口から放出される。
【００８４】
言い換えれば、芳香部６ｄは、芳香製造部であり、芳香源から芳香を放出させ、これを空気と混合して、天然香気を製造するものである。
【００８５】
芳香装置１００ｄは、上記のように構成することによって、芳香源から気軽に香気を楽しむことができる。芳香装置１００ｄは、特に、種子の香りを楽しむ芳香源に好適である。ここでは、芳香源は単一種類でもよいし、数種類を混合したものでもよい。数種類を混合することよって、様々な香気を楽しむことができる。
【００８６】
＜実施形態２＞
図６は、実施形態２に係る芳香装置１００ｅの構成を示す図である。芳香装置１００ｅは、さらに操作部７と制御部８とを含む。以下では、上記芳香装置と共通する部分には同様な符号を付し、異なる点を説明する。
【００８７】
芳香装置１００ｅは、電源部１と、主モータ２と、ヒータ３と、送風ファン４と、霧散布部５と、芳香部６と、操作部７と、制御部８と、を含み、これらは、第１筐体１０１及び第２筐体１０２に配置（収容）される。
【００８８】
操作部７は、使用者が要求を入力するための操作ボタン７１と、入力した要求や経過時間等を使用者に提示するための表示パネル７２と、を含む。
【００８９】
制御部８は、芳香装置１００ｅの作動を制御するための部分で、制御回路を含んで構成される。図７は、芳香装置１００ｅの制御構成を示すブロック図である。なお、図示しないが、各構成部分は電源部１とそれぞれ電気的に接続されている。
【００９０】
制御部８は、主モータ２のオン／オフや回転数を制御することによって、送風ファン４及び芳香部６の作動開始／作動停止、回転速度等を制御する。また、制御部８は、霧散布部５の散布ポンプ５２のモータのオン／オフや回転数を制御することによって、霧散布部５の作動開始／作動停止、回転速度等を制御する。また、制御部８は、ヒータ３の電源回路のオン／オフを制御することによって、ヒータ３の作動開始／作動停止等を制御する。ここでは、制御部８は、タイマーを含み、作動開始時間や継続時間等のカウントが可能である。
【００９１】
使用者が、例えば、操作部７の操作ボタン７１を用いて、作動時間を設定すると、制御部８は、主モータ２の制御を通じて送風ファン４及び芳香部６を設定した時間分だけ作動させ、ヒータ３及び霧散布部５を設定した時間分だけ作動させる。また、ここでは、一定時間おきに作動するように設定してもよい。
【００９２】
また、使用者が、例えば、操作部７の操作ボタン７１を用いて、作動速度を設定すると、制御部８は、主モータ２の制御を通じて送風ファン４及び芳香部６を設定された速度で作動させ、霧散布部５を設定された速度で作動させる。
【００９３】
また、使用者が、例えば主モータ２のみが作動するように設定してもよく、これによって送風ファン４及び芳香部６が駆動されて、霧を含まない香気が拡散される。
【００９４】
芳香装置１００ｅは、上記のように構成することによって、作動時間や速度、霧の混合の有無等を、使用者が簡便に制御することができる。
【００９５】
さらには、セットした芳香源を表示やＳＷで選択することで、それぞれが作動するタイミングや強度などの作動条件をコントロールしたり、部屋の広さや、時間帯を選択することで、作動条件を変えたりしてもよい。
【００９６】
＜実施形態３＞
図８は、実施形態３に係る芳香装置１００ｆを示す模式図である。
【００９７】
芳香装置１００ｆは、電源部１と、主モータ２ｆと、送風部４ｆと、霧散布部５ｆと、芳香部６ｆと、操作部７ｆと、制御部８ｆと、センサ部９ｆと、を含む。芳香部６ｆは、下記のように、それ以外の部分から構成される芳香装置１００ｆ本体に着脱可能に配置される。
【００９８】
主モータ２ｆは、芳香部６ｆを駆動するためのモータである。主モータ２ｆの出力軸には破壊回転軸２３ｆが取り付けられ、これに芳香部６ｆが挿着される。
【００９９】
送風部４ｆは、送風ファン及びヒータを含んで構成される。送風ファンは付帯のモータを含む点以外は、実施形態１と同様で、ヒータは実施形態１と同様である。送風部４ｆは、送風ファンのみを作動させて常温の風を送風したり、送風ファン及びヒータの両方を作動させて温風を送風したりできるように構成される。
【０１００】
霧散布部５ｆは、実施形態１と構成が同様である。霧散布部５ｆは、図示のように、第２筐体１０２の外部に配置されてもよい。
【０１０１】
芳香部６ｆは、破壊部、保持部及びこれらを収容する芳香ケースを含む。破壊部及び保持部は、上記実施形態１及びその変形例に係るいずれの破壊部及び保持部として構成することができる。ここでは、芳香部６ｆは、芳香装置１００ｆ本体に着脱可能に構成される。
【０１０２】
操作部７ｆは、操作ボタン７１ｆと、表示パネル７２ｆとを含む。操作ボタン７１ｆは、ボタンスイッチや表示パネル７２ｆと一体に設けられるタッチセンサ等で構成される。
【０１０３】
制御部８ｆは、芳香装置１００ｆの作動を制御するものである。図９は、芳香装置１００ｆの制御構成を示すブロック図である。
【０１０４】
制御部８ｆは、主モータ２、送風部４ｆ付帯のモータ、霧散布部５ｆ付帯のモータの作動開始／作動停止や回転速度を制御し、送風部４ｆの電源回路を制御して、これらの作動を制御することができる。
【０１０５】
センサ部９ｆは、効果的に香気を放散させるための各種センサを含む部分である。一例として、センサ部９ｆは、人感センサ９１ｆ、温度センサ９２ｆ、湿度センサ９３ｆ及び匂いセンサ９４ｆを含む。人感センサ９１ｆは、赤外線や超音波、可視光等を用いて人間の所在を検出するセンサである。温度センサ９２ｆ、湿度センサ９３ｆ及び匂いセンサ９４ｆは、それぞれ設置環境における温度、湿度、匂いを検出するセンサである。これらのセンサは、例えば、第１筐体１０１に取り付けられる。
【０１０６】
より具体的には、人感センサ９１ｆによって、エリア内の人間存在の有無が検出され、検出結果が制御部８ｆに入力される。制御部８ｆは、この検出結果に応じて、例えば、主モータ２の作動の開始／停止を制御する。例えば、主モータ２の停止状態で、人間の存在が検出された場合は、主モータ２の作動を開始させる。また、主モータ２の作動状態で、人間の存在が検出されなかった場合は、主モータ２の作動を停止させる。
【０１０７】
温度センサ９２ｆによって、エリア内の環境温度が検出され、検出結果が制御部８ｆに入力される。制御部８ｆは、検出結果に応じて、例えば、送風部４ｆからの送風を制御する。例えば、所定温度以上の環境温度が検出された場合は、送風部４ｆから常温の風を送風させ、所定温度以上の環境温度が検出されなかった場合は、送風部４ｆから温風を送風させる。
【０１０８】
湿度センサ９３ｆによって、エリア内の環境湿度が検出され、検出結果が制御部８ｆに入力される。制御部８ｆは、検出結果に応じて、例えば、霧散布部５ｆを制御する。例えば、主モータ２が作動している状態で、霧散布部５ｆの作動状態で、所定湿度以上の環境湿度が検出された場合は、霧散布部５ｆの作動を停止させる。一方、所定湿度以上の環境湿度が検出されなかった場合は、霧散布部５ｆの作動を継続させる。
【０１０９】
匂いセンサ９４ｆによって、エリア内の匂い濃度が検出され、検出結果が制御部８ｆに入力される。制御部８ｆは、この検出結果に応じて、例えば、主モータ２の作動の開始／停止を制御する。例えば、主モータ２の作動状態で、所定濃度以上の匂いが検出された場合は、主モータ２の作動を停止させる。一方、所定濃度以上の匂いが検出されなかった場合は、主モータ２の作動を継続させる。
【０１１０】
芳香装置１００ｆは、以上のように構成することによって、さらに、使用者の所在環境に合わせて、香気を放散させることができる。
【０１１１】
また、セットした芳香源を表示やＳＷで選択することで、それぞれが作動するタイミングや強度などの作動条件をコントロールしたり、部屋の広さや、時間帯を選択することで、作動条件をコントロールしたりしてもよい。
【０１１２】
また、図示しないが、破壊部に超音波振動などによる振動で芳香源破壊をしても良く、例えば振動板の上、ハーブを敷き、その上に金属の板を載せて振動させ芳香源を破壊にする事や、上記で示した各破壊部に超音波振動等の振動を併用し加えることで破壊効果を増進させたりしても良い。
【０１１３】
＜実施形態３の変形例１＞
図１０は、実施形態３の変形例１に係る芳香装置１００ｇの制御部８ｇによる制御構成を示すブロック図である。なお、芳香装置１００ｇは、制御部８ｇ以外は実施形態３に係る芳香装置１００ｆと同様である。
【０１１４】
制御部８ｇは、作動制御部８１ｇと、処理部８２ｇと、記憶部８３ｇと、を含む。
【０１１５】
作動制御部８１ｇは、処理部８２ｇの指示に応じて、主モータ２ｆ、送風部４ｆ付帯のモータ、霧散布部５ｆ付帯のモータの作動開始／作動停止や回転速度を制御し、送風部４ｆの電源回路を制御して、これらの作動を制御する部分である。
【０１１６】
処理部８２ｇは、所定の処理を行う部分で、操作部７ｆ及びセンサ部９ｆからの入力に基づいて、所定の処理を行い、作動制御部８１ｇに所定の指示を行う部分である。処理部８２ｇは、例えば、マイクロプロセッサで構成される。
【０１１７】
記憶部８３ｇは、所定の情報を格納する部分で、例えばＲＡＭ等で構成される。記憶部８３ｇには、例えば、芳香源データベース８３１ｇが格納される。
【０１１８】
芳香源、特に天然芳香源は、その種類によって芳香を放出する部分や芳香の強さが大きく異なる。そのため、芳香源に適した芳香部６ｇを用いる必要がある。例えば、茎についている葉や花から芳香が放出される場合は、上記実施形態１や実施形態１の変形例２に記載の芳香部（葉花型）を用い、柑橘類の場合は、果汁から芳香を放出させるときは、実施形態１の変形例１に記載芳香部（果汁型）を用い、皮から芳香を放出させるときは実施形態１の変形例３に記載の芳香部（果皮型）を用い、種から芳香を放出させるときは実施形態１の変形例４（種子型）が適している。また、同じ芳香源であっても、品種や採取時期によって、香気調製に適した芳香部の作動速度や環境温度、環境湿度が異なる。芳香源データベース８３１ｇは、芳香源に対応して、芳香放出部位、芳香部類型、品種、採取時期、標準芳香部作動速度、標準調製環境温度、標準調製環境湿度、標準調製濃度等の情報を格納するものである。
【０１１９】
使用者は、まず、芳香源及び芳香放出部位に応じて、所定の芳香部類型の芳香部６ｆを芳香装置１００ｇに取り付け、操作部７ｆから芳香源（例えば芳香源ＩＤ）を入力する。そうすると、センサ部９ｆによって、環境温度、環境湿度、環境匂い濃度が検出され、検出結果が処理部８２ｇに入力される。処理部８２ｇは、入力された芳香源に基づき、芳香源データベース８３１ｇを参照して、芳香部作動速度を標準芳香部作動速度に決定し、作動制御部８１ｇに指示する。
【０１２０】
また、処理部８２ｇは、入力された芳香源に基づき、芳香源データベース８３１ｇを参照し、入力された現在環境温度と標準調製環境温度を比較し、現在環境温度が標準調製環境温度より低い場合は、送風部４ｆのヒータを作動させるように、作動制御部８１ｇに指示する。また、現在環境温度が標準調製環境温度以上になった場合は、送風部４ｆのヒータの作動を停止させるように、作動制御部８１ｇに指示する。
【０１２１】
また、処理部８２ｇは、入力された芳香源に基づき、芳香源データベース８３１ｇを参照し、入力された現在環境湿度と標準調製環境湿度を比較し、現在環境湿度が標準調製環境湿度より低い場合は、霧散布部５ｆを作動させるように、作動制御部８１ｇに指示する。また、現在環境湿度が標準調製環境湿度以上になった場合は、霧散布部５ｆの作動を停止させるように、作動制御部８１ｇに指示する。
【０１２２】
また、処理部８２ｇは、入力された芳香源に基づき、芳香源データベース８３１ｇを参照し、入力された現在環境匂い濃度から芳香部６ｆ作動開始時の環境匂い濃度を引いた増加濃度と標準調製濃度を比較し、増加濃度が標準調製濃度以上になった場合は、芳香部６ｆの作動を停止させるように、作動制御部８１ｇに指示する。
【０１２３】
芳香装置１００ｇは、処理部８２ｇ及び芳香源データベース８３１ｇを備えることによって、芳香源種類に応じて芳香の調製を行い、安定した香気を提供することができる。
【０１２４】
また、好む香気の濃度は、使用者によって異なる。芳香装置１００ｇは、芳香源データベース８３１ｇを、使用者が好みに応じて、操作部７ｆから編集できるように構成されてもよい。
【０１２５】
また、芳香装置１００ｇは、芳香部６ｆが蓋体を含み、処理部８２ｇの指示に応じて、作動制御部８１ｇが芳香部６ｆの蓋体の開閉を制御できるように構成されてもよい。
【０１２６】
また、常時香気を放散させると、慣れてしまい、香りを感じなくなるので、所定時間作動後所定時間停止させ、再び所定時間作動させる等、間欠的に作動させてもよい。このように、強弱をもたらせることで、風の方向で香りが変わるように自然界の香りに近付けることができる。
【０１２７】
以上、本発明に係る芳香装置の実施形態について説明したが、これらは本発明の実施形態の一例に過ぎず、本発明はこれらに限定されるものではない。本発明には、以上の各実施形態を組み合わせた形態や、様々な変形例が含まれる。
【符号の説明】
【０１２８】
１００          芳香装置
１              電源部
２              主モータ
３              ヒータ
４              送風ファン
５              霧散布部
６              芳香部
６１            破壊部
６２            保持部
７              操作部
８              制御部
９              センサ部
【図１】
2017189391.tif 000003
【図２】
2017189391.tif 000004
【図３】
2017189391.tif 000005
【図４】
2017189391.tif 000006
【図５】
2017189391.tif 000007
【図６】
2017189391.tif 000008
【図７】
2017189391.tif 000009
【図８】
2017189391.tif 000010
【図９】
2017189391.tif 000011
【図１０】
2017189391.tif 000012
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
香気を放散する芳香装置であって、
天然芳香源から香気を調製する芳香部と、
前記芳香部を駆動するための駆動部を、含み、
前記芳香部は、前記駆動部に駆動されて、前記芳香源を破壊して芳香を放出させる破壊部を含む
ことを特徴とする芳香装置。
【請求項２】
請求項１に記載の芳香装置であって、
前記芳香部は、前記芳香源を保持する保持部を含む
ことを特徴とする芳香装置。
【請求項３】
請求項１又は２に記載の芳香装置であって、
前記芳香源は、果実、生のハーブ又は種子である
ことを特徴とする芳香装置。
【請求項４】
香気を放散する芳香装置であって、
天然芳香源から香気を調製する芳香部と、
前記芳香部を駆動するための駆動部を、含み、
前記芳香部は、
前記駆動部に駆動されて、前記芳香源を破壊して芳香を放出させる破壊部と、
前記芳香源を保持する保持部を、含み、
前記破壊部は、前記保持部に保持された前記芳香源の葉又は花を揺らがせてその細胞を破壊させることによって芳香を放出させる
ことを特徴とする芳香装置。
【請求項５】
香気を放散する芳香装置であって、
天然芳香源から香気を調製する芳香部と、
前記芳香部を駆動するための駆動部を、含み、
前記芳香部は、
前記駆動部に駆動されて、前記芳香源を破壊して芳香を放出させる破壊部と、
前記芳香源を保持する保持部を、含み、
前記破壊部は、前記保持部に保持された前記芳香源の果汁を搾ることによって芳香を放出させる
ことを特徴とする芳香装置。
【請求項６】
香気を放散する芳香装置であって、
天然芳香源から香気を調製する芳香部と、
前記芳香部を駆動するための駆動部、を含み、
前記芳香部は、
前記駆動部に駆動されて、前記芳香源を破壊して芳香を放出させる破壊部と、
前記芳香源を保持する保持部、を含み、
前記破壊部は、前記保持部に保持された前記芳香源の少なくとも果皮を切削することによって芳香を放出させる
ことを特徴とする芳香装置。
【請求項７】
香気を放散する芳香装置であって、
天然芳香源から香気を調製する芳香部と、
前記芳香部を駆動するための駆動部、を含み、
前記芳香部は、
前記駆動部に駆動されて、前記芳香源を破壊して芳香を放出させる破壊部と、
前記芳香源を保持する保持部、を含み、
前記破壊部は、前記保持部に保持された前記芳香源の葉、花又は果皮を前記保持部に押し当ててその細胞を破壊させることによって芳香を放出させる
ことを特徴とする芳香装置。
【請求項８】
香気を放散する芳香装置であって、
天然芳香源から香気を調製する芳香部と、
前記芳香部を駆動するための駆動部、を含み、
前記芳香部は、
前記駆動部に駆動されて、前記芳香源を破壊して芳香を放出させる破壊部と、
前記芳香源を保持する保持部、を含み、
前記破壊部は、前記保持部に保持された前記芳香源を押し潰すことによって芳香を放出させる
ことを特徴とする芳香装置。
【請求項９】
請求項１〜８のいずれか一項に記載の芳香装置であって、
前記破壊部は、破壊作動を所定時間間隔で行う
ことを特徴とする芳香装置。
【請求項１０】
請求項１〜９のいずれか一項に記載の芳香装置であって、
空気の流れを促進する送風部を含む
ことを特徴とする芳香装置。
【請求項１１】
請求項１〜１０のいずれか一項に記載の芳香装置であって、
空気を暖めるヒータを含む
ことを特徴とする芳香装置。
【請求項１２】
請求項１〜１１のいずれか一項に記載の芳香装置であって、
霧を散布する霧散布部を含む
ことを特徴とする芳香装置。
【請求項１３】
請求項１〜１２のいずれか一項に記載の芳香装置であって、
前記芳香部の作動を制御する作動制御部を含む
ことを特徴とする芳香装置。
【請求項１４】
請求項１３に記載の芳香装置であって、
人感センサ、温度センサ、湿度センサ、匂いセンサのうちの少なくとも一つを含むセンサ部を含む
ことを特徴とする芳香装置。
【請求項１５】
請求項１４に記載の芳香装置であって、
前記センサ部の検出結果に応じて前記作動制御部に所定の指示を行う処理部を含む
ことを特徴とする芳香装置。
【請求項１６】
香気を放散する芳香装置であって、
天然芳香源から香気を調製する芳香部を含み、
前記芳香部は、前記芳香源を破壊して芳香を放出させる破壊部を含み、
前記芳香装置は、さらに、
前記芳香部の作動を制御する作動制御部と、
人感センサ、温度センサ、湿度センサ、匂いセンサのうちの少なくとも一つを含むセンサ部と、
前記センサ部の検出結果に応じて前記作動制御部に所定の指示を行う処理部と、
前記芳香源毎に所定の情報を格納する記憶部、を含み、
前記処理部は、前記記憶部に格納された前記所定の情報を参照して、前記センサ部の検出結果に応じて前記作動制御部に前記所定の指示を行う
ことを特徴とする芳香装置。
【請求項１７】
請求項１〜１６のいずれか一項に記載の芳香装置であって、
前記芳香部は、着脱可能に配置されている
ことを特徴とする芳香装置。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
香気を放散する芳香装置であって、
天然芳香源から香気を調製する芳香部と、
前記芳香部を駆動するための駆動部を、含み、
前記芳香部は、
前記駆動部に駆動されて、前記芳香源を破壊して芳香を放出させる破壊部と、
前記芳香源を保持する保持部を、含み、
前記破壊部は、前記保持部に保持された前記芳香源の葉又は花を揺らがせてその細胞を破壊させることによって芳香を放出させ、
前記破壊部は、同一の前記芳香源に対して時間をあけて繰り返し破壊作動を行う
ことを特徴とする芳香装置。
【請求項２】
香気を放散する芳香装置であって、
天然芳香源から香気を調製する芳香部と、
前記芳香部を駆動するための駆動部を、含み、
前記芳香部は、
前記駆動部に駆動されて、前記芳香源を破壊して芳香を放出させる破壊部と、
前記芳香源を保持する保持部を、含み、
前記破壊部は、前記保持部に保持された前記芳香源の果汁を搾ることによって芳香を放出させ、
前記破壊部は、同一の前記芳香源に対して時間をあけて繰り返し破壊作動を行う
ことを特徴とする芳香装置。
【請求項３】
香気を放散する芳香装置であって、
天然芳香源から香気を調製する芳香部と、
前記芳香部を駆動するための駆動部、を含み、
前記芳香部は、
前記駆動部に駆動されて、前記芳香源を破壊して芳香を放出させる破壊部と、
前記芳香源を保持する保持部、を含み、
前記破壊部は、前記保持部に保持された前記芳香源の少なくとも果皮を切削することによって芳香を放出させ、
前記破壊部は、同一の前記芳香源に対して時間をあけて繰り返し破壊作動を行う
ことを特徴とする芳香装置。
【請求項４】
香気を放散する芳香装置であって、
天然芳香源から香気を調製する芳香部と、
前記芳香部を駆動するための駆動部、を含み、
前記芳香部は、
前記駆動部に駆動されて、前記芳香源を破壊して芳香を放出させる破壊部と、
前記芳香源を保持する保持部、を含み、
前記破壊部は、前記保持部に保持された前記芳香源の葉、花又は果皮を前記保持部に押し当ててその細胞を破壊させることによって芳香を放出させ、
前記破壊部は、同一の前記芳香源に対して時間をあけて繰り返し破壊作動を行う
ことを特徴とする芳香装置。
【請求項５】
請求項１〜４のいずれか一項に記載の芳香装置であって、
空気の流れを促進する送風部を含む
ことを特徴とする芳香装置。
【請求項６】
請求項１〜５のいずれか一項に記載の芳香装置であって、
空気を暖めるヒータを含む
ことを特徴とする芳香装置。
【請求項７】
請求項１〜６のいずれか一項に記載の芳香装置であって、
霧を散布する霧散布部を含む
ことを特徴とする芳香装置。
【請求項８】
請求項１〜７のいずれか一項に記載の芳香装置であって、
前記芳香部の作動を制御する作動制御部を含む
ことを特徴とする芳香装置。
【請求項９】
請求項８に記載の芳香装置であって、
人感センサ、温度センサ、湿度センサ、匂いセンサのうちの少なくとも一つを含むセンサ部と、
前記センサ部の検出結果に応じて前記作動制御部に所定の指示を行う処理部、を含む
ことを特徴とする芳香装置。
【請求項１０】
香気を放散する芳香装置であって、
天然芳香源から香気を調製する芳香部を含み、
前記芳香部は、前記芳香源を破壊して芳香を放出させる破壊部を含み、
前記芳香装置は、さらに、
前記芳香部の作動を制御する作動制御部と、
人感センサ、温度センサ、湿度センサ、匂いセンサのうちの少なくとも一つを含むセンサ部と、
前記センサ部の検出結果に応じて前記作動制御部に所定の指示を行う処理部と、
前記芳香源毎に所定の情報を格納する記憶部、を含み、
前記処理部は、前記記憶部に格納された前記所定の情報を参照して、前記センサ部の検出結果に応じて前記作動制御部に前記所定の指示を行う
ことを特徴とする芳香装置。
【請求項１１】
請求項１〜１０のいずれか一項に記載の芳香装置であって、
前記芳香部は、着脱可能に配置されている
ことを特徴とする芳香装置。